【手続補正書】
【提出日】平成18年3月8日(2006.3.8)
【手続補正１】
【補正対象書類名】明細書
【補正対象項目名】特許請求の範囲
【補正方法】変更
【補正の内容】
【特許請求の範囲】
【請求項１】  原稿の画像情報を複数の画素を１次元方向に配列した光電変換素子上に結像する結像光学系であって、
該結像光学系は、絞りと、少なくとも１枚のアナモフィックレンズと、該アナモフィックレンズと隣接してメニスカスレンズとを有し、
該アナモフィックレンズの肉厚をｄａ、該メニスカスレンズの肉厚をｄｍ、該アナモフィックレンズとそれに隣接するメニスカスレンズの間隔をｔｉｎ、両レンズの各面のうち該絞りに最も近いレンズ面Ｒｍと、該レンズ面Ｒｍと対向するレンズ面であって該両レンズ以外のレンズ面との距離をｔｏｕｔとするとき、
【数１】
2004078149.tif 000001
なる条件を満足することを特徴とする結像光学系。
【請求項２】  前記アナモフィックレンズに隣接するメニスカスレンズは、前記絞り側に凹面を向けたメニスカス状の負の屈折力のレンズであることを特徴とする請求項１に記載の結像光学系。
【請求項３】  前記アナモフィックレンズのアナモフィック面の一方向とそれに直交する方向の屈折力は有効範囲内で変化しており、その最大値と最小値との差を各々順にΔφｍ、Δφｓとするとき、
【数２】
2004078149.tif 000002
なる条件を満足することを特徴とする請求項１又は２に記載の結像光学系。
【請求項４】  前記結像光学系の一方向の焦点距離をｆａｌｌ、前記メニスカスレンズの焦点距離をｆｍ、前記アナモフィックレンズの該一方向の焦点距離をｆａとするとき、
【数３】
2004078149.tif 000003
なる条件を満足することを特徴とする請求項１〜３の何れか１項に記載の結像光学系。
【請求項５】  前記結像光学系は原稿面側より順に原稿面側に凸面を向けたメニスカス状の正の屈折力の第１レンズ、両レンズ面が凹面の第２レンズ、両レンズ面が凸面の第３レンズ、原稿面側に凹面を向けたメニスカス状の負の屈折力の第４レンズ、原稿面側に凹面を向けたメニスカス状の第５レンズ、そして原稿面側に凹面を向けたメニスカス状の第６レンズを有し、前記アナモフィックレンズは複数枚のメニスカス状のレンズのうち、少なくとも１枚であることを特徴とする請求項１〜４の何れか１項に記載の結像光学系。
【請求項６】  前記結像光学系は原稿面側より順に原稿面側に凸面を向けたメニスカス状の正の屈折力の第１レンズ、両レンズ面が凹面の第２レンズ、両レンズ面が凸面の第３レンズ、原稿面側に凹面を向けたメニスカス状の第４レンズ、そして原稿面側に凹面を向けたメニスカス状の第５レンズを有し、前記アナモフィックレンズは複数枚のメニスカス状のレンズのうち、少なくとも１枚であることを特徴とする請求項１〜４の何れか１項に記載の結像光学系。
【請求項７】  前記アナモフィックレンズは、プラスチックモールド製であり、前記メニスカスレンズはガラス製であることを特徴とする請求項１〜６の何れか１項に記載の結像光学系。
【請求項８】  請求項１乃至７の何れか１項に記載の結像光学系と、該結像光学系によって形成される画像情報を読取る読取手段とを有することを特徴とする画像読取装置。
【請求項９】  前記アナモフィックレンズの光線通過領域における最大開角は、４０度以下であることを特徴とする請求項８に記載の画像読取装置。
【請求項１０】  前記結像光学系の一方向の焦点距離をｆａｌｌ、前記アナモフィックレンズの光線通過領域の最大外径をＫとするとき、
０．３≦Ｋ／ｆａｌｌ≦１．５
なる条件を満足することを特徴とする請求項８又は９に記載の画像読取装置。
【手続補正２】
【補正対象書類名】明細書
【補正対象項目名】００２７
【補正方法】変更
【補正の内容】
【００２７】
【課題を解決するための手段】
請求項１の発明の結像光学系は、原稿の画像情報を複数の画素を１次元方向に配列した光電変換素子上に結像する結像光学系であって、
該結像光学系は、絞りと、少なくとも１枚のアナモフィックレンズと、該アナモフィックレンズと隣接してメニスカスレンズとを有し、
該アナモフィックレンズの肉厚をｄａ、該メニスカスレンズの肉厚をｄｍ、該アナモフィックレンズとそれに隣接するメニスカスレンズの間隔をｔｉｎ、両レンズの各面のうち該絞りに最も近いレンズ面Ｒｍと、該レンズ面Ｒｍと対向するレンズ面であって該両レンズ以外のレンズ面との距離をｔｏｕｔとするとき、
【数４】
2004078149.tif 000004
なる条件を満足することを特徴としている。
【手続補正３】
【補正対象書類名】明細書
【補正対象項目名】００２８
【補正方法】変更
【補正の内容】
【００２８】
請求項２の発明は、請求項１の発明において、前記アナモフィックレンズに隣接するメニスカスレンズは、前記絞り側に凹面を向けたメニスカス状の負の屈折力のレンズであることを特徴としている。
【手続補正４】
【補正対象書類名】明細書
【補正対象項目名】００２９
【補正方法】変更
【補正の内容】
【００２９】
請求項３の発明は、請求項１又は２の発明において、前記アナモフィックレンズのアナモフィック面の一方向とそれに直交する方向の屈折力は有効範囲内で変化しており、その最大値と最小値との差を各々順にΔφｍ、Δφｓとするとき、
【数５】
2004078149.tif 000005
なる条件を満足することを特徴としている。
【手続補正５】
【補正対象書類名】明細書
【補正対象項目名】００３０
【補正方法】変更
【補正の内容】
【００３０】
請求項４の発明は、請求項１〜３のいずれか１項の発明において、前記結像光学系の一方向の焦点距離をｆａｌｌ、前記メニスカスレンズの焦点距離をｆｍ、前記アナモフィックレンズの該一方向の焦点距離をｆａとするとき、
【数６】
2004078149.tif 000006
なる条件を満足することを特徴としている。
【手続補正６】
【補正対象書類名】明細書
【補正対象項目名】００３１
【補正方法】変更
【補正の内容】
【００３１】
請求項５の発明は、請求項１〜４のいずれか１項の発明において、前記結像光学系は原稿面側より順に原稿面側に凸面を向けたメニスカス状の正の屈折力の第１レンズ、両レンズ面が凹面の第２レンズ、両レンズ面が凸面の第３レンズ、原稿面側に凹面を向けたメニスカス状の負の屈折力の第４レンズ、原稿面側に凹面を向けたメニスカス状の第５レンズ、そして原稿面側に凹面を向けたメニスカス状の第６レンズを有し、前記アナモフィックレンズは複数枚のメニスカス状のレンズのうち、少なくとも１枚であることを特徴としている。
【手続補正７】
【補正対象書類名】明細書
【補正対象項目名】００３２
【補正方法】変更
【補正の内容】
【００３２】
請求項６の発明は、請求項１〜４のいずれか１項の発明において、前記結像光学系は原稿面側より順に原稿面側に凸面を向けたメニスカス状の正の屈折力の第１レンズ、両レンズ面が凹面の第２レンズ、両レンズ面が凸面の第３レンズ、原稿面側に凹面を向けたメニスカス状の第４レンズ、そして原稿面側に凹面を向けたメニスカス状の第５レンズを有し、前記アナモフィックレンズは複数枚のメニスカス状のレンズのうち、少なくとも１枚であることを特徴としている。
【手続補正８】
【補正対象書類名】明細書
【補正対象項目名】００３３
【補正方法】変更
【補正の内容】
【００３３】
請求項７の発明は、請求項１〜６のいずれか１項の発明において、前記アナモフィックレンズは、プラスチックモールド製であり、前記メニスカスレンズはガラス製であることを特徴としている。
【手続補正９】
【補正対象書類名】明細書
【補正対象項目名】００３４
【補正方法】変更
【補正の内容】
【００３４】
請求項８の発明の画像読取装置は、請求項１乃至７の何れか１項に記載の結像光学系と、該結像光学系によって形成される画像情報を読取る読取手段とを有することを特徴としている。
【手続補正１０】
【補正対象書類名】明細書
【補正対象項目名】００３５
【補正方法】変更
【補正の内容】
【００３５】
請求項９の発明は、請求項８の発明において、前記アナモフィックレンズの光線通過領域における最大開角は、４０度以下であることを特徴としている。
【手続補正１１】
【補正対象書類名】明細書
【補正対象項目名】００３６
【補正方法】変更
【補正の内容】
【００３６】
請求項１０の発明は、請求項８又は９の発明において、前記結像光学系の一方向の焦点距離をｆａｌｌ、前記アナモフィックレンズの光線通過領域の最大外径をＫとするとき、
０．３≦Ｋ／ｆａｌｌ≦１．５
なる条件を満足することを特徴としている。
【手続補正１２】
【補正対象書類名】明細書
【補正対象項目名】００３７
【補正方法】削除
【補正の内容】
【手続補正１３】
【補正対象書類名】明細書
【補正対象項目名】００３８
【補正方法】削除
【補正の内容】
【手続補正１４】
【補正対象書類名】明細書
【補正対象項目名】００３９
【補正方法】削除
【補正の内容】
【手続補正１５】
【補正対象書類名】明細書
【補正対象項目名】００４０
【補正方法】削除
【補正の内容】
【手続補正１６】
【補正対象書類名】明細書
【補正対象項目名】００４１
【補正方法】削除
【補正の内容】
【手続補正１７】
【補正対象書類名】明細書
【補正対象項目名】００４２
【補正方法】削除
【補正の内容】
【手続補正１８】
【補正対象書類名】明細書
【補正対象項目名】００４３
【補正方法】削除
【補正の内容】
【手続補正１９】
【補正対象書類名】明細書
【補正対象項目名】００４４
【補正方法】削除
【補正の内容】
【手続補正２０】
【補正対象書類名】明細書
【補正対象項目名】００４５
【補正方法】削除
【補正の内容】
【手続補正２１】
【補正対象書類名】明細書
【補正対象項目名】００４６
【補正方法】削除
【補正の内容】
【手続補正２２】
【補正対象書類名】明細書
【補正対象項目名】００４７
【補正方法】削除
【補正の内容】
【手続補正２３】
【補正対象書類名】明細書
【補正対象項目名】００４８
【補正方法】削除
【補正の内容】
【手続補正２４】
【補正対象書類名】明細書
【補正対象項目名】００４９
【補正方法】削除
【補正の内容】
【手続補正２５】
【補正対象書類名】明細書
【補正対象項目名】００５０
【補正方法】削除
【補正の内容】
【手続補正２６】
【補正対象書類名】明細書
【補正対象項目名】００５１
【補正方法】削除
【補正の内容】